(57)【要約】【課題】複数の配線基板の各配線基板に設けられた駆動回路から発せられる熱を、効率的に放散させるための技術を提供する。【解決手段】電気光学装置１は、電気光学パネルの一例である液晶パネル１００と、一端が液晶パネル１００と接続される第１配線基板２０と、第１配線基板２０の一端から見たＹ軸方向の位置で、一端が液晶パネル１００に接続される第２配線基板３０であって、Ｘ軸方向に屈曲する形状の第２配線基板３０と、第１配線基板２０に設けられ、液晶パネル１００を駆動する第１駆動回路と、第２配線基板３０の屈曲した部分に設けられ、液晶パネル１００を駆動する第２駆動回路とを備える。【選択図】図１
2018017791.tif 000002
【特許請求の範囲】
【請求項１】
電気光学パネルと、
前記電気光学パネルと一端が接続される第１配線基板と、
前記第１配線基板の前記一端から見た第１方向の位置で、前記電気光学パネルと一端が
接続される第２配線基板であって、前記第１方向と異なる第２方向に屈曲する部分を有す
る第２配線基板と、
前記第１配線基板に設けられ、前記電気光学パネルを駆動する第１駆動回路と、
前記第２配線基板の前記屈曲する部分に設けられ、前記電気光学パネルを駆動する第２
駆動回路と
を備える電気光学装置。
【請求項２】
前記第１駆動回路、および前記第２駆動回路を覆う位置に配置された放熱部材
を備えることを特徴とする請求項１に記載の電気光学装置。
【請求項３】
前記放熱部材は、前記第１配線基板、および前記第２配線基板の一方の面側、および他
方の面側から、前記第１駆動回路、および前記第２駆動回路を覆う位置に配置されている
ことを特徴とする請求項２に記載の電気光学装置。
【請求項４】
前記第１配線基板のうちの前記第１駆動回路と重ならない位置に設けられ、前記電気光
学パネルを駆動する第３駆動回路と、
前記屈曲する部分のうちの前記第２駆動回路と重ならない位置に設けられ、前記電気光
学パネルを駆動する第４駆動回路と
を備えることを特徴とする請求項１から請求項３のいずれか１項に記載の電気光学装置
。
【請求項５】
請求項１から請求項４のいずれか１項に記載の電気光学装置を備える電子機器。
【発明の詳細な説明】
【技術分野】
【０００１】
本発明は、電気光学装置および電子機器に関する。
【背景技術】
【０００２】
液晶等の電気光学パネルを備えた電気光学装置では、画素数の増加等に伴い、電気光学
パネルを駆動する駆動回路（駆動ＩＣ）の処理負荷が増大している。これは、駆動回路か
ら発せられる熱を増大させる原因となり得る。これに対し、特許文献１には、複数行の各
行の端子にフレキシブル基板を１つずつ接続する構成の下、フレキシブル基板上の駆動回
路を、放熱部材に固定することが記載されている。特許文献２には、配線基板上の集積回
路に重なるように、放熱部材を配置することが記載されている。
【先行技術文献】
【特許文献】
【０００３】
【特許文献１】特開２０１０−１０２２１９号公報
【特許文献２】特開２００９−７５４５７号公報
【発明の概要】
【発明が解決しようとする課題】
【０００４】
特許文献１の技術では、複数のフレキシブル基板がほぼ全体で重なり合い、且つ駆動回
路も重なり合う。このため、一のフレキシブル基板上の駆動回路から発せられた熱の放散
が、他のフレキシブル基板によって妨げられやすく、駆動回路の負荷の増大により、熱の
放散が十分でない可能性がある。特許文献２には、複数の配線基板を電気光学パネルに接
続することについて記載されていない。
本発明は、上述した事情に鑑みてなされたもので、その目的の一つは、複数の配線基板
の各配線基板に設けられた駆動回路から発せられた熱を、効率的に放散させるための技術
を提供することを目的とする。
【課題を解決するための手段】
【０００５】
上記目的を達成するために、本発明に係る電気光学装置は、電気光学パネルと、前記電
気光学パネルと一端が接続される第１配線基板と、前記第１配線基板の前記一端から見た
第１方向の位置で、前記電気光学パネルと一端が接続される第２配線基板であって、前記
第１方向と異なる第２方向に屈曲する形状の第２配線基板と、前記第１配線基板に設けら
れ、前記電気光学パネルを駆動する第１駆動回路と、前記第２配線基板の前記屈曲した部
分に設けられ、前記電気光学パネルを駆動する第２駆動回路とを備える。
【０００６】
この発明の電気光学装置では、第２配線基板は、その一端が第１配線基板の一端から第
１方向に位置し、且つこの第１方向と異なる第２方向に屈曲する部分を有する。そして、
この屈曲する部分に、第２配線基板の駆動回路が設けられる。よって、この発明によれば
、駆動回路から発せられた熱を、効率的に放散させることができる。
【０００７】
本発明において、前記第１駆動回路、および前記第２駆動回路を覆う位置に配置された
放熱部材を備えてもよい。
この発明によれば、放熱部材によって、第１駆動回路、および第２集積回路からの熱の
放散を促進することができる。
【０００８】
本発明において、前記放熱部材は、前記第１配線基板、および前記第２配線基板の一方
の面側、および他方の面側から、前記第１駆動回路、および前記第２駆動回路を覆う位置
に配置されてもよい。
この発明によれば、第１配線基板、および第２配線基板の一方の面側、および他方の面
側に配置された放熱部材によって、第１駆動回路、および第２集積回路からの熱の放散を
更に促進することができる。
【０００９】
本発明において、前記第１配線基板のうちの前記第１駆動回路と重ならない位置に設け
られ、前記電気光学パネルを駆動する第３駆動回路と、前記屈曲した部分のうちの前記第
２駆動回路と重ならない位置に設けられ、前記電気光学パネルを駆動する第４駆動回路と
を備えてもよい。
この発明によれば、第１配線基板、第２配線基板、第３配線基板、および第４配線基板
同士、およびこれらの配線基板に設けられた駆動回路同士が重なり合う場合に比べて、各
駆動回路から発せられる熱の放散が効率化される。
【００１０】
本発明は、電気光学装置のほか、電子機器としても観念することが可能である。
【図面の簡単な説明】
【００１１】
【図１】本発明の第１実施形態に係る電気光学装置の構成を示す斜視図。
【図２】同実施形態に係る電気光学装置の正面図および背面図。
【図３】同実施形態に係る液晶パネルの正面図および背面図。
【図４】同実施形態に係る第２配線基板が接続された状態の液晶パネルを示す図。
【図５】同実施形態に係る第１配線基板、および第２配線基板が接続された状態の液晶パネルを示す図。
【図６】同実施形態に係る電気光学装置をＸ軸方向に沿って切断したときの断面図（図１のVI-VI断面図）。
【図７】本発明の第２実施形態に係る電気光学装置の構成を示す斜視図。
【図８】同実施形態に係る電気光学装置の正面図および背面図。
【図９】同実施形態に係る液晶パネルの正面図および背面図。
【図１０】同実施形態に係る第４配線基板が接続された状態の液晶パネルを示す図。
【図１１】同実施形態に係る第３配線基板が接続された状態の液晶パネルを示す図。
【図１２】同実施形態に係る第２配線基板が接続された状態の液晶パネルを示す図。
【図１３】同実施形態に係る第１配線基板が接続された状態の液晶パネルを示す図。
【図１４】同実施形態に係る電気光学装置をＸ軸方向に沿って切断したときの断面図（図７のXIV-XIV断面図）。
【図１５】本発明の第３実施形態に係る電気光学装置の正面図および背面図。
【図１６】同実施形態に係る電気光学装置をＹ軸方向に沿って切断したときの断面図（図１５のXVI-XVI断面図）。
【図１７】同実施形態に係る電気光学装置をＹ軸方向に沿って切断したときの断面図（図１５のXVII-XVII断面図）。
【図１８】本発明の電気光学装置を適用したプロジェクターを示す図。
【発明を実施するための形態】
【００１２】
以下、本発明の実施の形態について図面を参照しつつ説明する。以下の説明で参照する
各図において、各部材、各領域等を認識可能な大きさとするために、実際とは縮尺を異な
らせている場合がある。
【００１３】
［第１実施形態］
図１は、第１実施形態に係る電気光学装置１の構成を示す斜視図である。図２は、電気
光学装置１の正面図、および背面図である。以下の説明では、図１に示すＸ軸、Ｙ軸、お
よびＺ軸からなる直交座標系を用いて、各方向を表すことがある。Ｘ軸、およびＹ軸は、
矩形形状の画素領域２００の一辺に平行な方向に延びている。Ｚ軸は、液晶パネル１００
を正面から見たときの視線の方向に延びている。液晶パネル１００の正面から背面に向か
う方向がＺ軸正方向であり、背面から正面へ向かう方向がＺ軸負方向である。
【００１４】
電気光学装置１は、本実施形態では液晶表示装置である。電気光学装置１は、液晶パネ
ル１００と、ケース１０と、第１配線基板２０と、第２配線基板３０と、放熱部材３００
とを備えている。液晶パネル１００は、画素領域２００に対応する表示部で、開口する枠
状のケース１０に収納されるとともに、第１配線基板２０、および第２配線基板３０のそ
れぞれの一端と接続されている。放熱部材３００は、例えば金属により形成され、第１配
線基板２０、および第２配線基板３０の一部を覆う形状である。放熱部材３００は、第１
配線基板２０と、第２配線基板３０において発生した熱を放散させるために設けられてい
る。放熱部材３００は、正面側から第１配線基板２０、および第２配線基板３０を覆う第
１放熱部材３１０と、背面側から第１配線基板２０、および第２配線基板３０を覆う第２
放熱部材３２０とを含んで構成される。また、放熱部材３００は、後述する駆動回路であ
る第１駆動回路２２および第２駆動回路３２を覆って構成される。第１放熱部材３１０の
正面側の面には、放熱を促進するためのフィン３１０１が複数形成され、第２放熱部材３
２０の背面側の面には、放熱を促進するためのフィン３２０１が複数形成されている。
【００１５】
図３は、液晶パネル１００の正面図である。図３には、ケース１０、第１配線基板２０
、第２配線基板３０、および放熱部材３００を取り外した状態の液晶パネル１００が示さ
れている。
液晶パネル１００は、電気光学動作を行う電気光学パネルの一例であり、ここでは透過
型の液晶パネルである。電気光学動作は、画素領域２００に画像を表示する表示動作を含
む。液晶パネル１００は、複数の画素電極（図示略）が形成された素子基板１１１と、コ
モン電極（図示略）が設けられた対向基板１１２とが、一定の間隙を保って貼り合わせら
れ、この間隙に、例えばＶＡ（Vertical Alignment）型の液晶が封入された構成である。
素子基板１１１、および対向基板１１２の各々は、ガラスや石英等の光透過性を有する素
材で形成されている。
【００１６】
画素領域２００は、素子基板１１１のうちの対向基板１１２との対向面に形成される。
画素領域２００は、ここでは、複数の画素を含む領域である。具体的には、画素領域２０
０は、マトリクス状に配列する複数の画素電極によって形成され、当該画素電極は、行方
向に相当するＸ軸方向に延びる複数行の走査線と、列方向に相当するＹ軸方向に延びる複
数列のデータ線との各交点に対応して配置される。Ｙ軸方向は第１方向、Ｘ軸方向は第２
方向に相当する。素子基板１１１のうちの対向基板１１２との対向面には、素子基板１１
１上の画素領域２００の周縁領域の一辺に沿って、走査線駆動回路２１０が設けられてい
る。画素領域２００の複数行の走査線は、走査線駆動回路２１０と接続されている。この
走査線駆動回路２１０が設けられた辺に直交する他辺には、データ線選択回路２２０、第
１端子群１２０および第２端子群１３０が形成されている。本実施形態の液晶パネル１０
０は、データ線の本数、データ線選択回路２２０、および駆動回路の能力に応じて、第１
駆動回路２２および第２駆動回路３２の２つの駆動回路により駆動される。第１端子群１
２０および第２端子群１３０を介して、液晶パネル１００を駆動する駆動信号が供給され
る。駆動信号は、各種信号や各種電圧を含む。この信号および電圧に応じた駆動の一例と
して、走査線駆動回路２１０は、複数行の走査線の各走査線に走査信号を供給する走査線
駆動を行う。また、駆動信号に含まれるデータ信号とタイミング信号により、データ線選
択回路２２０は、複数列のデータ線の各データ線を選択し、画素領域２００に画像を表示
するために画素にデータ信号を供給するデータ線駆動を行う。本実施形態の液晶パネル１
００は、１つの駆動回路で駆動できる２倍のデータ線の駆動が可能であり、また、第１端
子群１２０および第２端子群１３０をＹ軸方向に配置されることにより、液晶パネル１０
０のＸ軸方向のサイズ（幅）を広げることなく、小型で高精細な液晶パネル１００が構成
される。なお、以降の図では、データ線選択回路２２０、および走査線駆動回路２１０は
、省略されて記載される。
【００１７】
第１端子群１２０は、Ｘ軸方向に配列する複数の第１端子１２１を含む。第１端子群１
２０は、データ線選択回路２２０よりも画素領域２００から離れた位置、具体的には、Ｙ
軸方向の素子基板１１１の端部側に位置する。複数の第１端子１２１は、データ信号、お
よびタイミング信号が入力される端子を含み、データ線選択回路２２０に接続される。少
なくとも、データ信号が入力される複数の第１端子１２１は、本実施形態では同一形状、
同一寸法、且つＺ軸方向に見て矩形である。また、少なくとも、データ信号が入力される
複数の第１端子１２１は、本実施形態では、等ピッチで配列する。
【００１８】
第２端子群１３０は、Ｘ軸方向に配列する複数の第２端子１３１を含む。第２端子群１
３０は、第１端子群１２０よりも画素領域２００から離れた位置、具体的には、第１端子
群１２０よりもＹ軸方向の素子基板１１１の端部側に位置する。複数の第２端子１３１は
、データ信号、およびタイミング信号が入力される端子を含み、データ線選択回路２２０
に接続される。少なくとも、データ信号が入力される少なくとも、データ信号が入力され
る複数の第２端子１３１は、本実施形態では、同一形状、同一寸法、且つＺ軸方向に見て
矩形である。また、少なくとも、データ信号が入力される複数の第２端子１３１は、本実
施形態では、等ピッチで配列する。本実施形態では、第１端子群１２０、および第２端子
群１３０は、一組の第１端子１２１と第２端子１３１とのＸ軸方向における位置が同じと
なる。
なお、第１端子群１２０、および第２端子群１３０に含まれる端子の数は、データ線の
本数、データ線選択回路２２０、第１駆動回路２２および第２駆動回路３２の能力に応じ
て規定される。
【００１９】
第１端子群１２０の複数の第１端子１２１には、第１配線基板２０が接続され、第２端
子群１３０の複数の第２端子１３１には、第２配線基板３０が接続される。液晶パネル１
００への接続の際には、まず、第２配線基板３０が液晶パネル１００に接続され、次に、
第１配線基板２０が液晶パネル１００に接続される。図４には、第２配線基板３０が接続
された状態の液晶パネル１００が示されている。
【００２０】
図４に示すように、第２配線基板３０は、一端が液晶パネル１００の素子基板１１１に
配置されて、第２端子群１３０の複数の第２端子１３１と接続する。第２端子１３１には
、第２配線基板３０を介して、液晶パネル１００を駆動する駆動信号が供給される。
【００２１】
第２配線基板３０は、基材３１と、基材３１の背面側に設けられた第２駆動回路３２と
を備える。基材３１は、変形可能な素材で形成された基板（例えばフィルム基板、可撓性
基板）であり、図示せぬ複数の配線が形成されたＦＰＣ（Flexible Print Circuit）であ
る。基材３１は、第１部分３１１と、第２部分３１２とによって構成される。第１部分３
１１は、液晶パネル１００の素子基板１１１に配置された部分であり、複数の配線がＹ軸
方向に延びる形状である。第２部分３１２は、第１部分３１１を除く基材３１の部分であ
る。第２部分３１２は、Ｙ軸方向からＸ軸方向に屈曲した形状の部分を含む。
【００２２】
第２駆動回路３２は、駆動信号を生成して液晶パネル１００に供給する集積回路（駆動
ＩＣ）である。第２駆動回路３２は、ＴＡＢ（Tape Automated Bonding）技術を用いて、
電気的、および機械的に基材３１のうちの第２部分３１２の背面側の面に設けられ、基材
３１の複数の配線の少なくとも一部と接続されている。第２駆動回路３２は、図示せぬ上
位回路と接続される。後述する第１駆動回路２２、第３駆動回路４２、および第４駆動回
路５２は、第２駆動回路３２と同等な機能を有するものであり、液晶パネル１００のデー
タ線を含む画素領域２００を分担して駆動する。
【００２３】
図５には、第１配線基板２０および第２配線基板３０が接続された状態の液晶パネル１
００が示されている。図５に示すように、第１配線基板２０は、一端が、第２配線基板３
０（ここでは第１部分３１１）と重なり合うように素子基板１１１に配置されて、第１端
子群１２０の複数の第１端子１２１と接続する。第１端子１２１には、第１配線基板２０
を介して、液晶パネル１００を駆動する駆動信号が供給される。
【００２４】
第１配線基板２０は、基材２１と、基材２１の背面側に設けられた第１駆動回路２２と
を備える。基材２１、および第１駆動回路２２の構成は、それぞれ第２配線基板３０の基
材３１、および第２駆動回路３２と大略同じである。基材２１は、第１部分２１１と、第
２部分２１２とによって構成され、第１部分２１１は、液晶パネル１００の素子基板１１
１に配置され、第２配線基板３０の基材３１の第１部分３１１の一部と重なり合う形状で
ある。第２部分２１２は、第１部分２１１を除く基材２１の部分であり、第２配線基板の
基材３１の第２部分３１２とは異なる方向に屈曲した形状を有する。また、第２部分２１
２は、第２配線基板の基材３１の第２部分３１２と重なり合わない部分を含む。本実施形
態では、基材２１の第２部分２１２と基材３１の第２部分３１２は、液晶パネル１００に
配置された状態で、線対称の形状である。第１駆動回路２２は、第２部分２１２のうち、
第２配線基板３０の基材３１の第２部分３１２と重なり合わない部分の背面側の面に設け
られている。このため、第１駆動回路２２と第２駆動回路３２とは、Ｘ軸方向に並んだ配
置となり、且つＺ軸方向における重なりを持たない。放熱部材３００は、第１駆動回路２
２、および第２駆動回路３２を覆うように形成される。
【００２５】
図６は、電気光学装置１をＸ軸方向に沿って切断した断面図（図１のVI-VI断面図）で
ある。この部分には、第１駆動回路２２が基材２１の背面に、第２駆動回路３２が基材３
１の背面に設けられている。図６に示すように、第１配線基板２０の基材２１の正面側の
面が、熱伝導性を有する固着剤（以下、単に「固着剤」という。）を用いて、第１放熱部
材３１０の背面側の面に固定されている。固着剤は、例えば、接着剤やグリスである。ま
た、第１駆動回路２２の背面側の面が、固着剤を用いて、第２放熱部材３２０の正面側の
面に固定されている。同様に、第２配線基板３０の基材３１の正面側の面が、固着剤を用
いて、第１放熱部材３１０の背面側の面に固定されている。また、第２駆動回路３２の背
面側の面が、固着剤を用いて、第２放熱部材３２０の正面側の面に固定されている。
【００２６】
図４で説明したように、第１駆動回路２２と第２駆動回路３２とはＸ軸方向に並んだ配
置となり、且つＺ軸方向における重なりを持たない。このため、第１駆動回路２２は、Ｚ
軸正方向、およびＺ軸負方向の両方向から、放熱部材３００によって覆われた形状となっ
ている。第１駆動回路２２は、第２放熱部材３２０に対して、固着剤以外の物体を挟まず
に対向し、第１放熱部材３１０に対して、基材２１および固着剤以外の物体を挟まずに対
向している。このため、第１駆動回路２２からの熱の放散が、第２配線基板３０の基材３
１や第２駆動回路３２によって妨げられにくく、結果、第１駆動回路２２の熱の放散を効
率化することができる。同様に、第２駆動回路３２も、第２放熱部材３２０に対して、固
着剤以外の物体を挟まずに対向し、第１放熱部材３１０に対して、基材３１および固着剤
以外の物体を挟まずに対向している。このため、第２駆動回路３２からの熱の放散が、第
１配線基板２０の基材２１や第１駆動回路２２によって妨げられにくく、結果、第２駆動
回路３２の熱の放散を効率化することができる。
以上説明したように、第１配線基板２０上の第１駆動回路２２と、第２駆動回路３２の
第２駆動回路３２との各々が発する熱を効率的に放散させることができる。
【００２７】
［第２実施形態］
次に、本発明の第２実施形態を説明する。第２実施形態の液晶パネル１００Ａは、例え
ば、第１実施形態の液晶パネル１００の２倍のデータ線（あるいは２倍の画素数）を有す
る小型で更に高精細なものである。この液晶パネル１００Ａを駆動するには、第１実施形
態と同じ能力の駆動回路が４つ必要となる。この第２実施形態は、液晶パネルに接続され
る配線基板の数が「４」である点で、上述した第１実施形態とは異なる。以下の説明で、
第１実施形態と同じ要素については同じ符号を付して表し、対応する要素については符号
の末尾に「Ａ」を付して表す。
【００２８】
図７は、第２実施形態に係る電気光学装置１Ａの構成を示す斜視図である。図８は、電
気光学装置１Ａの正面図、および背面図である。Ｘ軸、Ｙ軸、およびＺ軸については、上
述した第１実施形態と同様に規定する。
電気光学装置１Ａは、液晶パネル１００Ａと、ケース１０と、第１配線基板２０と、第
２配線基板３０と、第３配線基板４０と、第４配線基板５０と、放熱部材３００Ａとを備
えている。液晶パネル１００Ａは、第１配線基板２０、第２配線基板３０、第３配線基板
４０、および第４配線基板５０のそれぞれの一端と接続されている。第１配線基板２０、
および第２配線基板３０の配置は、上述した第１実施形態と同じである。第３配線基板４
０は、第１配線基板２０の背面側に配置される。第４配線基板５０は、第２配線基板３０
の背面側に配置される。
【００２９】
放熱部材３００Ａは、例えば金属により形成され、第１配線基板２０、第２配線基板３
０、第３配線基板４０、および第４配線基板５０の一部を覆う形状である。放熱部材３０
０Ａは、これら各配線基板において発生した熱を放散させるために設けられている。放熱
部材３００Ａは、正面側から各配線基板を覆う第１放熱部材３１０Ａと、背面側から各配
線基板を覆う第２放熱部材３２０Ａとを含んで構成される。また、放熱部材３００Ａは、
後述する第１駆動回路２２、第２駆動回路３２、第３駆動回路４２および第４駆動回路５
２を覆って構成される。第１放熱部材３１０Ａの正面側の面には、放熱を促進するための
フィン３１０１Ａが複数形成され、第２放熱部材３２０Ａの背面側の面には、放熱を促進
するためのフィン３２０１Ａが複数形成されている。
【００３０】
図９は、液晶パネル１００Ａの正面図である。図９には、ケース１０、第１配線基板２
０、第２配線基板３０、第３配線基板４０、第４配線基板５０、および放熱部材３００Ａ
を取り外した状態の液晶パネル１００Ａが示されている。
液晶パネル１００Ａには、第１端子群１２０および第２端子群１３０に加え、第３端子
群１４０、および第４端子群１５０が形成されている。
第３端子群１４０は、Ｘ軸方向に配列する複数の第３端子１４１を含む。第３端子群１
４０は、第２端子群１３０よりも更に画素領域２００から離れた位置、具体的には、第２
端子群１３０よりもＹ軸方向の素子基板１１１の端部側に位置する。複数の第３端子１４
１は、データ信号、およびタイミング信号が入力される端子を含み、データ線選択回路２
２０に接続される。少なくとも、データ信号が入力される複数の第３端子１４１は、本実
施形態では同一形状、同一寸法、且つＺ軸方向に見て矩形である。また、少なくとも、デ
ータ信号が入力される複数の第３端子１４１は、本実施形態では、等ピッチで配列する。
【００３１】
第４端子群１５０は、Ｘ軸方向に配列する複数の第４端子１５１を含む。第４端子群１
５０は、第３端子群１４０よりも更に画素領域２００から離れた位置、具体的には、第３
端子群１４０よりもＹ軸方向の素子基板１１１の端部側に位置する。複数の第４端子１５
１は、データ信号、およびタイミング信号が入力される端子を含み、データ線選択回路２
２０に接続される。少なくとも、データ信号が入力される複数の第４端子１５１は、本実
施形態では同一形状、同一寸法、且つＺ軸方向に見て矩形である。また、少なくとも、デ
ータ信号が入力される複数の第４端子１５１は、本実施形態では、等ピッチで配列する。
本実施形態では、第１端子群１２０、第２端子群１３０、第３端子群１４０、および第
４端子群１５０は、一組の第１端子１２１と、第２端子１３１と、第３端子１４１と、第
４端子１５１とのＸ軸方向における位置が同じとなる。
なお、第３端子群１４０、および第４端子群１５０に含まれる端子の数は、データ線の
本数、データ線選択回路２２０、第１駆動回路２２〜第４駆動回路５２の能力に応じて規
定される。
【００３２】
第１端子群１２０の複数の第１端子１２１には、第１配線基板２０が接続され、第２端
子群１３０の複数の第２端子１３１には、第２配線基板３０が接続され、第３端子群１４
０の複数の第３端子１４１には、第３配線基板４０が接続され、第４端子群１５０の複数
の第４端子１５１には、第４配線基板５０が接続される。液晶パネル１００への接続の際
には、第４配線基板５０、第３配線基板４０、第２配線基板３０、第１配線基板２０の順
で、液晶パネル１００に接続される。図１０には、第４配線基板５０が接続された状態の
液晶パネル１００Ａが示されている。
【００３３】
図１０に示すように、第４配線基板５０は、一端が素子基板１１１に配置されて、第４
端子群１５０の複数の第４端子１５１と接続される。第４端子１５１には、第４配線基板
５０を介して、液晶パネル１００Ａを駆動する駆動信号が供給される。
第４配線基板５０は、基材５１と、基材５１に設けられた第４駆動回路５２とを備える
。
基材５１、および第４駆動回路５２の構成は、それぞれ第２配線基板３０の基材３１、お
よび第２駆動回路３２と大略同じである。基材５１は、第１部分５１１と、第２部分５１
２とによって構成される。第１部分５１１は、液晶パネル１００Ａの素子基板１１１に配
置される部分である。第２部分５１２は、第１部分５１１を除く部分である。第２部分５
１２は、Ｙ軸方向からＸ軸方向に屈曲した形状の部分を含む。第４駆動回路５２は、基材
５１のうちの第２部分５１２の背面側の面に設けられている。
【００３４】
図１１には、第３配線基板４０および第４配線基板５０が接続された状態の液晶パネル
１００が示されている。
図１１に示すように、第３配線基板４０は、一端が、第４配線基板５０（ここでは第１
部分５１１）と重なり合うように素子基板１１１に配置されて、第３端子群１４０の複数
の第３端子１４１と接続される。第３端子１４１には、第３配線基板４０を介して、液晶
パネル１００Ａを駆動する駆動信号が供給される。
【００３５】
第３配線基板４０は、基材４１と、基材４１の背面側に設けられた第３駆動回路４２と
を備える。基材４１、および第３駆動回路４２の構成は、それぞれ第１配線基板２０の基
材２１、および第１駆動回路２２と大略同じである。基材４１は、第１部分４１１と、第
２部分４１２とによって構成される。第１部分４１１は、液晶パネル１００Ａの素子基板
１１１に配置され、第１部分５１１の一部と重なり合う。第２部分４１２は、第１部分４
１１を除く部分である。第２部分４１２は、Ｙ軸方向からＸ軸方向に屈曲した形状である
。第３駆動回路４２は、基材４１のうちの第２部分４１２の背面側の面に設けられている
。このため、第３配線基板４０の第２部分４１２に設けられた第３駆動回路４２と、第４
配線基板５０の第２部分５１２に設けられた第４駆動回路５２とは、Ｘ軸方向に並んだ配
置となり、且つＺ軸方向における重なりを持たない。
【００３６】
図１２には、第２配線基板３０、第３配線基板４０および第４配線基板５０が接続され
た状態の液晶パネル１００Ａが示されている。第４配線基板５０は、第２配線基板３０と
ほぼ重なるので、図１２では図示が省略されている。図１２に示すように、第２配線基板
３０は、一端が素子基板１１１に、第３配線基板４０（ここでは第１部分４１１）、およ
び第４配線基板５０（ここでは第１部分５１１）の一部と重なり合うように配置される。
第２駆動回路３２は、ここでは、第４駆動回路５２とＺ軸方向において重なり合うように
、第２部分３１２の背面側の面に設けられている。
【００３７】
図１３には、第１配線基板２０、第２配線基板３０、第３配線基板４０および第４配線
基板５０が接続された状態の液晶パネル１００Ａが示されている。第３配線基板４０およ
び、第４配線基板５０は、それぞれ、第１配線基板２０および第２配線基板３０とほぼ重
なるので、図１３では図示が省略されている。図１３に示すように、第１配線基板２０は
、一端が素子基板１１１に、第２配線基板３０（ここでは第１部分３１１）、第３配線基
板４０（ここでは第１部分４１１）、および第４配線基板５０（ここでは第１部分５１１
）の一部と重なり合うように配置される。第１駆動回路２２は、ここでは、第３駆動回路
４２とＺ軸方向において重なり合うように、第２部分２１２の背面側の面に設けられてい
る。放熱部材３００Ａが、第１駆動回路２２、第２駆動回路３２、第３駆動回路４２およ
び第４駆動回路５２を覆うように形成される。
【００３８】
図１４は、電気光学装置１ＡをＸ軸方向に沿って切断したときの断面図（図７のXIV-XI
V断面図）である。この部分には、第１駆動回路２２〜第４駆動回路５２が、それぞれ、
基材２１〜基材５１の背面に設けられている。図１４に示すように、第１配線基板２０の
基材２１、および第２配線基板３０の基材３１は、固着剤を用いて、第１放熱部材３１０
Ａの背面側の面に対して固定されている。ただし、第１駆動回路２２、および第２駆動回
路３２の背面側は、それぞれ固定されていない。第３配線基板４０の第３駆動回路４２、
および第４配線基板５０の第４駆動回路５２は、固着剤を用いて、第２放熱部材３２０Ａ
の正面側の面に対して固定されている。ただし、基材４１、および基材５１の正面側は、
それぞれ固定されていない。このため、第１駆動回路２２と第３配線基板４０の基材４１
との間に空間（空隙）が形成され、また、第２駆動回路３２と第４配線基板５０の基材５
１との間に空間（空隙）が形成されている。
【００３９】
既に説明したように、第１配線基板２０の基材２１と第２配線基板３０の基材３１とは
互いに異なる方向に屈曲する形状で、第３配線基板４０の基材４１と第４配線基板５０の
基材５１とは、互いに異なる方向に屈曲する形状となっている。このため、第１駆動回路
２２と第２駆動回路３２とは、Ｘ軸方向に並んだ配置となる。また、第３駆動回路４２と
第４駆動回路５２とは、Ｘ軸方向に並んだ配置となる。更に、第１駆動回路２２と第３配
線基板４０の基材４１との間には空間が形成され、第２駆動回路３２と第４配線基板５０
の基材５１との間には空間が形成され、放散された熱が移動する経路が確保されている。
このため、第１駆動回路２２、第２駆動回路３２、第３駆動回路４２、および第４駆動回
路５２の各々の熱の放散を効率化することができる。
【００４０】
［第３実施形態］
次に、本発明の第３実施形態を説明する。この第３実施形態は、第１駆動回路２２と第
３駆動回路４２との位置関係、および第２駆動回路３２と第４駆動回路５２との位置関係
が、上述した第２実施形態とは異なる。
【００４１】
図１５は、本実施形態の電気光学装置１Ａの正面図である。図１５では、放熱部材３０
０Ａが存在する領域を二点鎖線で示す。図１６は、電気光学装置１Ａを、第１配線基板２
０および第３配線基板４０を含む平面でＹ軸方向に沿って切断したときの断面図（図１５
のXVI-XVI断面図）である。図１７は、電気光学装置１Ａを、第２配線基板３０および第
４配線基板５０を含む平面でＹ軸方向に沿って切断したときの断面図（図１５のXVII-XVI
I断面図）である。
図１５、および図１６に示すように、第１駆動回路２２と第３駆動回路４２とは、Ｙ軸
方向における位置がずれており、Ｚ軸方向において重なり合わない。また、図１５、およ
び図１７に示すように、第２駆動回路３２と第４駆動回路５２とのＹ軸方向における位置
がずれており、Ｚ軸方向において重なり合わない。
なお、第１駆動回路２２と第２駆動回路３２とは上述した第２実施形態と同様、Ｘ軸方
向に並んだ配置である。また、第３駆動回路４２と第４駆動回路５２とも上述した第２実
施形態と同様、Ｘ軸方向に並んだ配置となっている。
【００４２】
図１５〜図１７で説明した各駆動回路の配置とすることで、第１駆動回路２２の背面側
は、第３駆動回路４２を挟まずに、第２放熱部材３２０Ａと対向することになり、第３駆
動回路４２の正面側は、第２駆動回路３２を挟まずに、第１放熱部材３１０Ａと対向する
ことになる。また、第２駆動回路３２の背面側は、第４駆動回路５２を挟まずに、第２放
熱部材３２０Ａと対向することになり、第４駆動回路５２の正面側は、第２駆動回路３２
を挟まずに、第１放熱部材３１０Ａと対向することになる。これにより、上述した第２実
施形態の構成よりも、放散された熱が移動する経路がより広く確保される。よって、第１
駆動回路２２、第２駆動回路３２、第３駆動回路４２、および第４駆動回路５２の各々の
熱の放散を効率化することができる。
【００４３】
［変形例］
本発明は、上述した実施形態と異なる形態で実施することが可能である。また、以下に
示す変形例は、各々を適宜に組み合わせてもよい。
上述した実施形態では、液晶パネル１００，１００Ａに接続される第１配線基板２０〜
第４配線基板５０は、正面側と背面側の両側から、放熱部材によって覆われていた。これ
に代えて、第１配線基板２０〜第４配線基板５０は、正面側又は背面側の一方側から、放
熱部材３００、３００Ａによって覆われる構成であってもよい。また、放熱部材３００，
３００Ａは、第１配線基板２０〜第４配線基板５０のうち少なくとも一つの配線基板を覆
う構成が採用されてもよい。また、放熱部材３００，３００Ａは、ケース１０と一体に形
成されてもよい。
【００４４】
また、各配線基板（基材）の形状はあくまで一例である。
本発明において、素子基板上の端子群は２つ又は４つに限られるものではなく、３つ又
は５つ以上設けられてもよい。この場合も、端子群毎に配線基板が１つずつ接続される。
本発明の電気光学パネルは、透過型の液晶パネルでなくてもよく、例えば反射型の液晶
パネルであってもよい。また、本発明の電気光学パネルは、電気光学動作を行えばよく、
有機ＥＬ（Electro-Luminescence）パネル等の液晶以外の電気光学素子を用いたパネルで
あってもよい。
【００４５】
次に、上述した各実施形態に係る電気光学装置１を用いた電子機器の一例として、液晶
パネル１００をライトバルブとして用いた投射型表示装置（プロジェクター）について説
明する。図１８は、このプロジェクターの構成を示す平面図である。
図１８に示すように、プロジェクター２１００の内部には、ハロゲンランプ等の白色光
源からなるランプユニット２１０２が設けられている。このランプユニット２１０２から
射出された投射光は、内部に配置された３枚のミラー２１０６および２枚のダイクロイッ
クミラー２１０８によってＲ色、Ｇ色、およびＢ色の３原色に分離されて、各原色に対応
するライトバルブ１００Ｒ，１００Ｇおよび１００Ｂにそれぞれ導かれる。なお、Ｂ色の
光は、他のＲ色やＧ色と比較すると、光路が長いので、その損失を防ぐために、入射レン
ズ２１２２、リレーレンズ２１２３および出射レンズ２１２４からなるリレーレンズ系２
１２１を介して導かれる。
【００４６】
このプロジェクター２１００では、少なくとも第１配線基板２０および第２配線基板３
０が接続された液晶パネル１００を含む電気光学装置１が、Ｒ色、Ｇ色、およびＢ色のそ
れぞれに対応して３組設けられる。ライトバルブ１００Ｒ，１００Ｇ，および１００Ｂの
構成は、上述した液晶パネル１００と同様である。Ｒ色、Ｇ色、およびＢ色のそれぞれの
原色成分の映像信号がそれぞれ外部上位回路からそれぞれの配線基板を介して供給されて
、ライトバルブ１００Ｒ，１００Ｇおよび１００Ｂがそれぞれ駆動される構成となってい
る。また、電気光学装置１は、放熱部材３００、３００Ａが効率よく放熱できるようにプ
ロジェクター２１００に配置される。
ライトバルブ１００Ｒ，１００Ｇ，および１００Ｂによってそれぞれ変調された光は、
ダイクロイックプリズム２１１２に３方向から入射する。そして、このダイクロイックプ
リズム２１１２において、Ｒ色およびＢ色の光は９０度に屈折する一方、Ｇ色の光は直進
する。したがって、各原色の画像が合成された後、スクリーン２１２０には、投射レンズ
２１１４によってカラー画像が投射されることとなる。
【００４７】
なお、ライトバルブ１００Ｒ，１００Ｇ，および１００Ｂには、ダイクロイックミラー
２１０８によって、Ｒ色、Ｇ色、およびＢ色のそれぞれに対応する光が入射するので、カ
ラーフィルターを設ける必要はない。また、ライトバルブ１００Ｒおよび１００Ｂの透過
像は、ダイクロイックプリズム２１１２により反射した後に投射されるのに対し、ライト
バルブ１００Ｇの透過像はそのまま投射されるので、ライトバルブ１００Ｒおよび１００
Ｂによる水平走査方向は、ライトバルブ１００Ｇによる水平走査方向と逆向きにして、左
右を反転させた像を表示する構成となっている。
【００４８】
電子機器としては、図１８を参照して説明したプロジェクターの他にも、テレビジョン
や、ビューファインダー型・モニター直視型のビデオテープレコーダー、カーナビゲーシ
ョン装置、ページャー、電子手帳、電卓、ワードプロセッサー、ワークステーション、テ
レビ電話、ＰＯＳ端末、デジタルスチルカメラ、携帯電話機、スマートフォンおよびタブ
レット型端末その他のタッチパネルを備えた機器等が挙げられる。そして、これらの各種
の電子機器に対して、電気光学装置１が適用可能である。
【符号の説明】
【００４９】
１，１Ａ…電気光学装置、１００，１００Ａ…液晶パネル、１１１…素子基板、１１２…
対向基板、１２０…第１端子群、１２１…第１端子，１３１…第２端子，１４１…第３端
子，１５１…第４端子、１３０…第２端子群、１４０…第３端子群、１５０…第４端子群
、２０…第１配線基板、２１，３１，４１，５１…基材、２２…第１駆動回路、３０…第
２配線基板、３２…第２駆動回路、４０…第３配線基板、４２…第３駆動回路、５０…第
４配線基板、５２…第４駆動回路、２００…画素領域、２１０…走査線駆動回路、２２０
…データ線選択回路、３００，３００Ａ…放熱部材、３１０，３１０Ａ…第１放熱部材、
３１０１，３１０１Ａ，３２０１，３２０１Ａ…フィン、３２０，３２０Ａ…第２放熱部
材、２１００…プロジェクター。
【図１】
2018017791.tif 000003
【図２】
2018017791.tif 000004
【図３】
2018017791.tif 000005
【図４】
2018017791.tif 000006
【図５】
2018017791.tif 000007
【図６】
2018017791.tif 000008
【図７】
2018017791.tif 000009
【図８】
2018017791.tif 000010
【図９】
2018017791.tif 000011
【図１０】
2018017791.tif 000012
【図１１】
2018017791.tif 000013
【図１２】
2018017791.tif 000014
【図１３】
2018017791.tif 000015
【図１４】
2018017791.tif 000016
【図１５】
2018017791.tif 000017
【図１６】
2018017791.tif 000018
【図１７】
2018017791.tif 000019
【図１８】
2018017791.tif 000020